(57)【要約】【課題】本発明は表面に意匠性の高いブロック調模様を有する建築板を提供することを目的とする。【解決手段】建築板１の表面のブロック調模様において、凸ブロック５を区画する縦横目地溝３，４を画定する一方または両方の側縁３Ａ，４Ａに直線部ａ、彎曲部ｂ、屈曲部ｃを混在せしめ、それによって縦横目地溝３，４巾を多様に変化せしめ、目地溝３，４の意匠性を高めると共に、凸ブロック５の輪郭を割石状にして自然感を与える。【選択図】  図２
2004316277.tif 000002
【特許請求の範囲】
【請求項１】
表面に縦横目地溝によって区画された凸ブロックの複数個を縦横に配列したブロック調模様を有する建築板であって、該縦横目地溝を画定する一方または両方の側縁に直線部、彎曲部、屈曲部をそれぞれ混在せしめ、それによって該縦横目地溝巾を変化せしめたことを特徴とする建築板。
【請求項２】
該ブロック調模様において、該横目地溝は板全長を貫通して形成され、該横目地溝の複数条が所定の間隔をおいて縦方向に配列され、該横目地溝間に画定された各段部に縦目地溝を介して複数個の凸ブロックを配列し、各段部において該縦目地溝が上側および／または下側の段部の縦目地溝と相互連続しないように相互位置をずらし、かつ上側の段部および／または下側の段部に配列されている各凸ブロックの横巾の範囲内には該縦目地溝を１条または２条割当てている馬目地様である請求項１に記載の建築板。
【請求項３】
該凸ブロックの全部または一部のものの長手方向の辺で一方または両方の縁角部の所定個所を切欠いて、該凸ブロックの縁面が横目地溝底面から立上る角度よりも緩い角度の緩斜面部を形成した請求項１または２に記載の建築板。
【発明の詳細な説明】
【０００１】
【発明の属する技術分野】
本発明は、例えば外壁材として使用される建築板に関するものである。
【０００２】
【従来の技術】
従来から例えば図４に示すように、表面に横目地溝（１３）と縦目地溝（１４）とによって画定した凸ブロック（１５）を縦横に配列したブロック調模様を有する建築板（１１）が提供されている（例えば特許文献１および特許文献２参照）。
上記ブロック調の模様にあっては、横目地溝（１３）と縦目地溝（１４）とが直線的で画一巾のものであると、ゴバン目状の整然とした面白味のない意匠となる。
そこで横目地溝（１３）を波状にしたり（特許文献１）、目地溝巾を部分的に異ならせたり（特許文献２）してブロック調模様に変化をつけようとする試みがなされている。
【０００３】
【特許文献１】
特開平９−８８２９３号公報（請求項１、図３）。
【特許文献２】
特開２００１−２２７１３０号公報（請求項１、図１）。
【０００４】
【発明が解決しようとする課題】
上記従来のブロック調模様では、目地溝に変化をつけてもなお凸ブロックの輪郭が単調であり、ゴバン目状の感じが拭いきれず、また該ブロック調模様の主要意匠部はブロック上面であり、目地溝は模様の付随部分に過ぎず、ブロック調模様全体として面白味に欠けると云う問題点があった。更に建築板を貼設した場合、隣接する建築板相互の寸法誤差や位置誤差等によって接合部において目地溝にずれが生じた時、そのずれが目立って施工後の外観が悪化すると云う問題点もある。
【０００５】
【課題を解決するための手段】
本発明は上記従来の課題を解決する手段として、表面に縦横目地溝（３，４）  によって区画された凸ブロック（５）  の複数個を縦横に配列したブロック調模様を有する建築板（１）  であって、該縦横目地溝（３，４）  を画定する一方または両方の側縁（３Ａ，４Ａ）  に直線部ａ、彎曲部ｂ、屈曲部ｃをそれぞれ混在せしめ、それによって該縦横目地溝（３，４）  巾を変化せしめた建築板（１）  を提供するものである。
該ブロック調模様において、該横目地溝（３）  は板全長を貫通して形成され、該横目地溝（３）  の複数条が所定の間隔をおいて縦方向に配列され、該横目地溝（３）  間に画定された各段部に縦目地溝（４）  を介して複数個の凸ブロック（５）  を配列し、各段部（２）  において該縦目地溝（４）  が上側および／または下側の段部（２）  の縦目地溝（４）  と相互連続しないように相互位置をずらし、かつ上側の段部（２）  および／または下側の段部（２）  に配列されている各凸ブロック（５）  の横巾の範囲内には該縦目地溝（４）  を１条または２条割当てている馬目地様であることが望ましく、また該凸ブロック（５）  の全部または一部のものの長手方向の辺で一方または両方の縁角部の所定個所を切欠いて、該凸ブロック（５）  の縁面が横目地溝（３）  底面から立上る角度θよりも緩い角度αの緩斜面部（５Ａ）を形成することが望ましい。
【０００６】
【作用】
縦横目地溝（３，４）  を区画する一方または両方の側縁（３Ａ，４Ａ）  に直線部ａ，彎曲部ｂ，屈曲部ｃ，をそれぞれ混在せしめることによって目地溝（３，４）  の巾に多様な変化が付けれるので、目地溝（３，４）  の意匠性が向上して凸ブロック（５）  の上面と同等な意匠上の要部となる。
そして目地溝（３，４）  の両側縁（３Ａ，４Ａ）  は凸ブロック（５）  の輪郭になるので、この輪郭に直線部ａ，彎曲部ｂ，屈曲部ｃが混在することになり、凸ブロック（５）  の輪郭が割石状になり、意匠に自然感が付され面白味が増す。
更に特に目地溝（３，４）  の両側縁（３Ａ，４Ａ）  に屈曲部ｃが存在することによって、建築板（１，１）  相互接合部において目地溝（３）  にずれがあっても、このずれは目地溝（３）  の巾の変化として看取され、ずれが目立たなくなる。
【０００７】
該ブロック調模様において、該横目地溝（３）  は板全長を貫通して形成され、該横目地溝（３）  の複数条が所定の間隔をおいて縦方向に配列され、該横目地溝（３，３）  間に画定された各段部（２，２）  に縦目地溝（４）  を介して複数個の凸ブロック（５）  を配列し、各段部（２，２）  において該縦目地溝（４）  が上側および／または下側の段部（２）  の縦目地溝（４）  と相互連続しないように相互位置をずらし、かつ上側の段部（２）  および／または下側の段部（２）  に配列されている各凸ブロック（５）  の横巾の範囲内には該縦目地溝（４）  を１条または所によって２条割当てている馬目地様であると、ゴバン目状の整然感が完全になくなり、意匠性が更に高くなる。
【０００８】
更に凸ブロック（５）  の全部または一部のものの長手方向の辺の一方または両方の縁角部の所定個所を切欠いて、該凸ブロック（５）  の縁面が横目地溝（３）  の底面より立上る角度θよりも緩い角度α（α＜θ＜９０°）の緩斜面部（５Ａ）を形成すると、全部または一部の凸ブロック（５）  の輪郭には緩斜面部（５Ａ）が介在することになり、該緩斜面部（５Ａ）にあっては光を有効に反射するので、該凸ブロック（５）  の輪郭において該緩斜面部（５Ａ）部分が他の部分よりも明るく目視され、該凸ブロック（５）  の輪郭に更なる変化がもたらされる。また横目地溝（３）  内に流れる雨水は緩斜面部（５Ａ）によって下方へ流れ易くなり、横目地溝（３）  内に砂やほこりが蓄積しないようになる。
【０００９】
【発明の実施の形態】
本発明を図１〜図３に示す一実施例によって説明すれば、建築板（１）  は、例えば木片、木粉、木質パルプ、木質繊維束、木毛等の木質補強材を混合した木質セメント板からなる。
該建築板（１）  には板全長にわたって貫通した横目地溝（３）  を所定の間隔で設けることによって複数条の段部（２）  が区画されており、各段部（２）  には縦目地溝（４）  を介して複数個の凸ブロック（５）  が配列されている。
【００１０】
各段部（２）  にあっては、上側の段部（２）  に配列されている各凸ブロック（５）  および下側の段部（２）  に配列されている各凸ブロック（５）  の横巾の範囲内には１条または所によって２条の縦目地溝（４）  を割当て、最上段の段部（２）  にあっては、下側の段部（２）  に配列されている各凸ブロック（５）  の横巾の範囲内には１条の縦目地溝（４）  のみ割当てられ、最下段の段部（２）  にあっては、上側の段部（２）  に配列されている各凸ブロック（５）  の横巾の範囲内には１条の縦目地溝（４）  のみ割当てるようにしている。
【００１１】
上記馬目地様のブロック調模様において、縦横目地溝（３，４）  を画定する一方または両方の側縁（３Ａ，４Ａ）  には、図２に示すように直線部ａ，彎曲部ｂおよび屈曲部ｃが混在せしめられており、それによって目地溝（３，４）  の巾には多様な変化が付されており、例えば彎曲部ｂの位置では目地溝巾はなだらかに変化し、屈曲部ｃの位置では目地溝巾は段階状に変化している。したがって目地溝巾の変化の様式にも多様性が付されていることになる。
【００１２】
更に該凸ブロック（５）  のうち所定のものには、図２および図３に示すように長手方向の辺の一方または両方の縁角部の所定個所を切欠いて、図３に示すように該凸ブロック（５）  の縁面が該横目地溝（３）  の底面から立上る角度θよりも緩い角度α（α＜θ＜９０°）の緩斜面部（５Ａ）が形成されている。
【００１３】
上記緩斜面部（５Ａ）は凸ブロック（５）  の輪郭において他の部分より明るくなり、またその近傍の横目地溝（３）  の底部にも光が到達し易くなって他の部分よりも明るくなるが、この明度のコントラストをより明瞭にするには、該緩斜面部（５Ａ）をなるべく横目地溝（３）  の巾広部分に沿って形成する。
【００１４】
なお本発明にあっては、凸ブロック（５）  の緩斜面部（５Ａ）は長手方向に沿って設けられているが、緩斜面部（５Ａ）を長手方向に沿って設けた場合には、緩斜面部（５Ａ）の明るさのコントラストが顕著になるからであり、緩斜面部（５Ａ）を短手方向に沿って設けた場合には、明るさのコントラストは殆どつかず、目的の効果が達成出来ない。また本発明の建築板（１）  にあっては通常横目地溝（３）  、縦目地溝（４）  、緩斜面部（５Ａ）はエンボス加工によって設けられるが、この場合緩斜面部（５Ａ）が長手方向に沿っていると、エンボス加工が容易になる。
【００１５】
エンボス加工は型面にネガ模様を有する型によって行われるが、該型の緩斜面部（５Ａ）成形部は長手方向に沿った凸曲面になるので、この形状によるリブ効果によって型が補強され耐久性が向上する。また従来脱型の際に板の原料が長手方向に沿って付着し易かったが、型面にこのような長手方向に沿った凸曲面が存在すると、原料が付着することなく脱型が円滑に行われる。
【００１６】
【発明の効果】
本発明ではブロック調模様を有する建築板において、凸ブロックを画定する縦横目地溝を画定する一方または両方の側縁に直線部、彎曲部、屈曲部をそれぞれ混在せしめることによって、該目地溝の巾に多様な変化を付けるので、目地溝の意匠性が向上し、また凸ブロックの輪郭にも割石状の自然な変化がもたらされるので、ブロック調模様が面白味のある市場価値の高いものになる。更に建築板相互の接合部において目地溝にずれがあっても、そのずれも目立たなくなる。
【図面の簡単な説明】
図１〜図３は本発明の一実施例を示すものである。
【図１】平面図
【図２】目地溝部の部分拡大平面図
【図３】緩斜面部の説明断面図
【図４】従来例の部分平面図
【符号の説明】
１                  建築板
２            段部
３                横目地溝
３Ａ，４Ａ              側縁
４                      縦目地溝
５                      凸ブロック
５Ａ                    緩斜面部
ａ          直線部
ｂ          彎曲部
ｃ          屈曲部
【図１】
2004316277.tif 000003
【図２】
2004316277.tif 000004
【図３】
2004316277.tif 000005
【図４】
2004316277.tif 000006